(57)【要約】【課題】捕集した水が溜まったままになることを防止することが目的とされる。【解決手段】熱交換装置用ケースは、筐体１と、受け皿３１と、部材３２とを備える。筐体は、上側に延びる側部１３を有し、下側に開口部１５が設けられている。受け皿３１は、底部３１１を有し、底部３１１を下側に向けつつ開口部１５を塞ぐ。部材３２は、上から見て、筐体１０の周りを環状に延びている。部材３２は、下側の端３２ａと、上側の端３２ｂとを有する。下側の端３２ａは側部１３に繋がり、上側の端３２ｂは側部１３と離間している。部材３２の下側の端３２ａは、受け皿３１の底部３１１よりも上側に位置する。そして、側部１３のうち部材３２と対向する部分１３１には、第１の穴１４が設けられている。【選択図】図３
2008190762.tif 000002
【特許請求の範囲】
【請求項１】
上側（９１）に延びる側部（１３）を有し、下側に開口部（１５）が設けられた筐体（１０）と、
底部（３１１）を有し、前記底部を前記下側に向けつつ前記開口部を塞ぐ受け皿（３１）と、
前記側部の少なくとも一部に前記筐体の外側から被さり、前記側部に繋がる前記下側の端（３２ａ）と、前記側部と離間する前記上側の端（３２ｂ）とを有する部材（３２）と
を備え、
前記部材の前記下側の前記端は、前記底部よりも前記上側に位置し、
前記側部のうち前記部材と対向する部分（１３１）には第１の穴（１４）が設けられる、熱交換装置用ケース。
【請求項２】
前記第１の穴（１４）は、前記部材（３２）の前記下側の前記端（３２ａ）に近接して設けられる、請求項１記載の熱交換装置用ケース。
【請求項３】
前記部材（３２）は、前記第１の穴（１４）の前記下側の位置（ｒ１）から、前記側部（１３）に沿って上斜め方向（９２）へと延びる、請求項１または請求項２記載の熱交換装置用ケース。
【請求項４】
上から見て、前記部材（３２）は前記筐体（１０）の周りで環状に延びる、請求項１乃至請求項３のいずれか一つに記載の熱交換装置用ケース。
【請求項５】
前記部材（３２）の前記下側の前記端（３２ａ）と、前記受け皿（３１）の前記上側の端（３１２ａ）とが互いに連結している、請求項１乃至請求項４のいずれか一つに記載の熱交換装置用ケース。
【請求項６】
前記受け皿（３１）には第２の穴（３３）が設けられる、請求項１乃至請求項５のいずれか一つに記載の熱交換装置用ケース。
【請求項７】
請求項１乃至請求項６のいずれか一つに記載の熱交換装置用ケース（１）と、
熱交換器（２）と
を備え、
前記筐体（１０）には吸気口（１１）と排気口（１２）とが更に設けられ、
前記熱交換器は、前記熱交換装置用ケース内で前記吸気口と前記排気口との間に配置される、熱交換装置。
【請求項８】
前記第１の穴（１４）は、前記熱交換器（２）に対して前記吸気口（１１）側に設けられる、請求項７記載の熱交換装置。
【請求項９】
前記熱交換装置用ケース（１）内で、前記熱交換器（２）に対して前記排気口（１２）側または前記吸気口（１１）側に設けられるファン（４）を更に備え、
前記第１の穴（１４）は、前記ファン（４）に対して前記吸気口（１１）側に設けられる、請求項７または請求項８記載の熱交換装置。
【発明の詳細な説明】
【技術分野】
【０００１】
本発明は、熱交換装置用ケース及び熱交換装置に関し、特に結露した水の捕集に関する。
【背景技術】
【０００２】
従来から、空気調和機などの熱交換装置において、熱交換器やファンを格納する筐体の外側の面に結露した水を捕集する技術が提案されている。
【０００３】
例えば下掲の特許文献１では、筐体の外側にフランジを設けることで、結露した水を捕集している。そして、捕集された水は、筐体に設けられた穴を介して、筐体内の受け皿へと導かれる。
【０００４】
その他、本発明に関連する技術を、特許文献２及び特許文献３に示す。
【特許文献１】特開２０００−１１１０８０号公報
【特許文献２】特開２００２−１６２０５９号公報
【特許文献３】特開２０００−１６１７０３号公報
【発明の開示】
【発明が解決しようとする課題】
【０００５】
しかし、上述した技術では穴は、フランジが連結される筐体の位置から上側へと離れて設けられている。これは、フランジが筐体に連結された位置よりも、受け皿が上側に配置されているためであって、捕集された水を受け皿へと導くには、受け皿の位置よりも穴をさらに上側に設ける必要があるからである。
【０００６】
このため結露した水は、穴の位置まで溜まってからでしか、受け皿へは導かれない。しかも、フランジが連結された位置から穴の位置までの間には、水が溜まったままになってしまう。水が溜まったままでは、フランジや筐体が腐食しやすい。
【０００７】
本発明は、上述した事情に鑑みてなされたものであり、捕集した水が溜まったままになることを防止することが目的とされる。
【課題を解決するための手段】
【０００８】
第１の発明にかかる熱交換装置用ケースは、筐体と、受け皿と、部材とを備える。筐体は、上側に延びる側部を有し、下側に開口部が設けられている。受け皿は、底部を有し、底部を下側に向けつつ開口部を塞ぐ。部材は、側部の少なくとも一部に筐体の外側から被さり、側部に繋がる下側の端と、側部と離間する上側の端とを有する。部材の下側の端は、底部よりも上側に位置する。側部のうち部材と対向する部分には、第１の穴が設けられている。
【０００９】
第２の発明にかかる熱交換装置用ケースは、第１の発明の熱交換装置用ケースであって、第１の穴は、部材の下側の端に近接して設けられている。
【００１０】
第３の発明にかかる熱交換装置用ケースは、第１または第２の発明の熱交換装置用ケースであって、部材は、第１の穴の下側の位置から、側部に沿って上斜め方向へと延びている。
【００１１】
第４の発明にかかる熱交換装置用ケースは、第１乃至第３の発明のいずれか一つの熱交換装置用ケースであって、上から見て、部材は筐体の周りで環状に延びている。
【００１２】
第５の発明にかかる熱交換装置用ケースは、第１乃至第４の発明のいずれか一つの熱交換装置用ケースであって、部材の下側の端と、受け皿の上側の端とが互いに連結している。
【００１３】
第６の発明にかかる熱交換装置用ケースは、第１乃至第５の発明のいずれか一つの熱交換装置用ケースであって、受け皿には第２の穴が設けられている。
【００１４】
第７の発明にかかる熱交換装置は、第１乃至第６の発明のいずれか一つの熱交換装置用ケースと、熱交換器とを備える。筐体には吸気口と排気口とが更に設けられている。熱交換器は、熱交換装置用ケース内で吸気口と排気口との間に配置されている。
【００１５】
第８の発明にかかる熱交換装置は、第７の発明の熱交換装置であって、第１の穴は、熱交換器に対して吸気口側に設けられている。
【００１６】
第９の発明にかかる熱交換装置は、第７または第８の発明の熱交換装置であって、熱交換装置用ケース内で、熱交換器に対して排気口側または吸気口側に設けられるファンを更に備える。第１の穴は、ファンに対して吸気口側に設けられている。
【発明の効果】
【００１７】
第１の発明にかかる熱交換装置用ケースによれば、筐体の側部の外側の面に結露が生じても、結露した水を部材と側部との間の空間に捕集することができる。よって、結露の発生を防止する必要がなく、以って筐体に断熱材等を設ける必要もない。しかも、部材の下側の端が受け皿の底部よりも上側に位置するので、第１の穴を当該端に近い位置に設けることができ、以って結露した水が部材と側部との間の空間に溜まったままになりにくい。
【００１８】
第２の発明にかかる熱交換装置用ケースによれば、部材と側部との間の空間に、結露した水が溜まったままになることが防止できる。
【００１９】
第３の発明にかかる熱交換装置用ケースによれば、部材と側部との間の空間に捕集された水を、その重力によって第１の穴の近くへと導くことができる。
【００２０】
第４の発明にかかる熱交換装置用ケースによれば、筐体の側部のいずれの位置で結露が生じても、結露した水を部材と側部との間の空間に捕集することができる。
【００２１】
第５の発明にかかる熱交換装置用ケースによれば、受け皿と部材とを一体で成形でき、以って熱交換装置用ケースの製造が容易である。しかも、当該一体で成形されたものを筐体に嵌め込むだけで、熱交換装置用ケースを得ることができる。
【００２２】
第６の発明にかかる熱交換装置用ケースによれば、受け皿に導かれた水を第２の穴から排出することができる。
【００２３】
第７の発明にかかる熱交換装置によれば、熱交換装置において結露した水を捕集することができる。
【００２４】
第８の発明にかかる熱交換装置によれば、結露した水は熱交換器に対して吸気口側に流入するので、排気口から排出される空気への影響が低減される。
【００２５】
第９の発明にかかる熱交換装置によれば、ファンが動作することで、吸気口から空気が吸い込まれる。これに伴って、ファンに対して吸気口側に設けられた第１の穴からも筐体内へと空気が吸い込まれる。よって、部材と側部との間の空間に捕集された水は、空気の流れに従って第１の穴へと吸い込まれやすく、以って捕集された水を受け皿へと容易に導くことができる。
【発明を実施するための最良の形態】
【００２６】
図１は、本発明の実施の形態にかかる熱交換装置を概念的に示す斜視図である。図２及び図３はそれぞれ、図１に示される位置II−II及び位置III−IIIでの、熱交換装置の断面を示す。熱交換装置は、熱交換装置用ケース１と、熱交換器２と、ファン４とを備える（図２）。
【００２７】
熱交換装置用ケース１は、筐体１０と、受け皿３１と、部材３２とを備える。なお以下では、熱交換装置用ケース１や部材３２などに対して、「上側」（単に「上」という場合もある。）及び「下側」という用語を用いる。熱交換装置用ケース１を例にとれば、熱交換装置用ケース１の鉛直方向９１についての両側のうち、鉛直方向９１の矢印の先側を「上側」、それとは反対側を「下側」という。部材３２などについても同様である。
【００２８】
筐体１０は、上側に伸びる側部１３を有し、下側に開口部１５（図２及び図３）が設けられている。
【００２９】
受け皿３１は、底部３１１を有する。受け皿３１は、底部３１１を下側に向けつつ、開口部１５を塞ぐ。
【００３０】
部材３２は、上から見て、筐体１０の周りを環状に延びている（図１）。部材３２は、下側の端３２ａと、上側の端３２ｂとを有する（図２及び図３）。下側の端３２ａは側部１３に繋がり、上側の端３２ｂは側部１３と離間している。図２及び図３では、断面がＬ字状の部材３２が示されている。ただし、部材３２は、その断面がＬ字状のものに限られるものではなく、下側の端３２ａが側部１３に繋がり、かつ上側の端３２ｂが側部１３と離間しているものであれば、他の形状を呈するものであっても良い。
【００３１】
部材３２の下側の端３２ａは、受け皿３１の底部３１１よりも上側に位置する。そして、側部１３のうち部材３２と対向する部分１３１には、第１の穴１４が設けられている。
【００３２】
図１乃至図３では、部材３２と受け皿３１とは互いに連結している。具体的には、部材３２の下側の端３２ａと、受け皿３１の側部３１２の上側の端３１２ａとが互いに連結している。かかる態様によれば、受け皿３１と部材３２とを一体で成形でき、以って熱交換装置用ケース１の製造が容易である。しかも、当該一体で成形されたものを筐体１０に嵌め込むだけで、熱交換装置用ケース１を得ることができる。
【００３３】
もちろん、部材３２は、筐体１０の側部１３に連結されても良い。また、部材３２は、受け皿３１と離間して、側部３２の外側の面に設けられても良い。
【００３４】
上述した熱交換装置用ケース１によれば、側部１３の外側の面に結露が生じても、結露した水７を部材３２と側部１３との間の空間３２１に捕集することができる。よって、結露の発生を防止する必要がなく、以って筐体１０に断熱材等を設ける必要もない。空間３２１に捕集された水７は、第１の穴１４を通って受け皿３１の底部３１１へと導かれる。
【００３５】
しかも、部材３２の下側の端３２ａが受け皿３１の底部３１１よりも上側に位置するので、第１の穴１４を端３２ａに近い位置に設けることができる。よって、結露した水７が部材３２と側部１３との間の空間３２１に溜まったままになりにくい。なお、図１及び図３では、第１の穴１４を端３２ａに近接して設けた場合が示されている。
【００３６】
受け皿３１へと導かれた水７は、受け皿３１に設けられた第２の穴３３から排出される（図１及び図３）。図３では、水７の流れが実線矢印１０３で示されている。
【００３７】
受け皿３１の底部３１１に水７が溜まったままになるのを防止するという観点からは、第２の穴３３は底部３１１に設けるか、または受け皿３１の側部３１２のうち底部３１１に近い位置に設けることが望ましい。図１及び図３では、第２の穴３３は、側部３１２に設けられており、底部３１１に近接している。
【００３８】
図１では、部材３２は筐体１０の周りを環状に延びているが、筐体１０の周りで一部にのみ部材３２を設けても良い。例えば、結露する位置が特定できるような場合には、少なくとも当該位置の下側に部材３２が配設されていれば良い。かかる内容は、部材３２が、側部１３の少なくとも一部に、筐体１０の外側から被さると把握することができる。
【００３９】
部材３２は、図４に示されるように、第１の穴１４の下側の位置ｒ１から、側部１３に沿って上斜め方向９２へと延びることが望ましい。なぜなら、部材３２と側部１３との間の空間３２１に捕集された水７を、その重力によって第１の穴１４の近くへと導くことができるからである。なお図４では、空間３２１に捕集された水７の流れが、破線矢印１０２で示されている。
【００４０】
図２に戻って、筐体１０には、吸気口１１と排気口１２とが更に設けられている。熱交換器２は、熱交換装置用ケース１内で吸気口１１と排気口１２との間に配置されている。
【００４１】
ファン４は、熱交換装置用ケース１内で排気口１２と熱交換器２との間に配置されている。ただし、図５に示されるようにファン４は、吸気口１１と熱交換器２との間に設けられても良い。
【００４２】
図６は、図２に示される熱交換装置について、第１の穴１４の位置を示す。図７は、図５に示される熱交換装置について、第１の穴１４の位置を示す。図６及び図７のいずれにおいても、第１の穴１４は、熱交換器２に対して吸気口１１側に設けられている。かかる態様によれば、結露した水７は熱交換器２に対して吸気口１１側に流入するので、排気口１２から排出される空気１０１への影響が低減される。
【００４３】
図６及び図７のいずれにおいても、第１の穴１４は、ファン４に対して吸気口１１側に設けられている。かかる態様によれば、部材３２と側部１３との間の空間３２１に捕集された水７を、受け皿３１へと容易に導くことができる。
【００４４】
具体的に説明すると、ファン４が動作することで、吸気口１１から空気１００が吸い込まれる。これに伴って、ファン４に対して吸気口１１側に設けられた第１の穴１４からも筐体１内へと空気が吸い込まれる。よって、空間３２１に捕集された水７は、空気の流れに従って第１の穴１４へと吸い込まれやすい。
【図面の簡単な説明】
【００４５】
【図１】本発明の実施の形態にかかる熱交換装置を概念的に示す斜視図である。
【図２】図１に示される位置II−IIでの、熱交換装置の断面を示す図である。
【図３】図１に示される位置III−IIIでの、熱交換装置の断面を示す図である。
【図４】部材３２の形状を概念的に示す図である。
【図５】熱交換装置を概念的に示す断面図である。
【図６】図２に示される熱交換装置について、第１の穴１４の位置を示す図である。
【図７】図５に示される熱交換装置について、第１の穴１４の位置を示す図である。
【符号の説明】
【００４６】
１  熱交換装置用ケース
２  熱交換器
４  ファン
１０  筐体
１１  吸気口
１２  排気口
１３  側部
１４  第１の穴
１５  開口部
３１  受け皿
３２  部材
３３  第２の穴
９１  鉛直方向
９２  上斜め方向
１３１  部分
３１１  底部
３２ａ，３２ｂ，３１２ａ  端
ｒ１  位置
【図１】
2008190762.tif 000003
【図２】
2008190762.tif 000004
【図３】
2008190762.tif 000005
【図４】
2008190762.tif 000006
【図５】
2008190762.tif 000007
【図６】
2008190762.tif 000008
【図７】
2008190762.tif 000009